(57)【要約】【課題】カードホルダに指を引っ掛けるための凹部を設けることなくカードホルダを引き出すことができるカードホルダ装置の提供。【解決手段】カードホルダ１０の操作部１の押圧操作時、カードホルダ１０がスライダ４０と係合して挿入方向に移動し、スライダ４０の押し込み位置への位置決めに伴いカードホルダ１０がケース２０への収納を完了する第１の位置に位置決めされ、カードホルダ１０が第１の位置にあるときに操作部１を押圧操作した時、スライダ４０の押し出し位置への位置決めに伴いカードホルダ１０が押し出された第２の位置に位置決めされ、カードホルダ１０が第２の位置にあるときに、操作部１を把持して引くと、第１爪１６から第２爪４１に傾斜面４１ａを介して力が作用して棒状部４９が撓み、第１爪１６と第２爪４１との係合が解かれて、カードホルダ１０がスライダ４０との係合が解除された第３の位置に移動する。【選択図】図３
2007280384.tif 000002
【特許請求の範囲】
【請求項１】
メモリカードを保持し、押圧操作部を有するカードホルダと、
このカードホルダが挿入される開口を有するケースと、
前記メモリカードを保持した前記カードホルダが前記ケースに収納されたとき、前記メモリカードと所定機器とを電気的に接続する接続手段と、
前記カードホルダの挿入方向および引出し方向へのスライドが可能に前記ケース内に設けられ、前記ケースに挿入された前記カードホルダに係合するスライダと、
前記ケース内に設けられ、前記カードホルダの前記押圧操作部の押圧操作により前記スライダを押し込み位置と押し出し位置とに位置決め可能な位置決め手段と、
前記カードホルダと前記スライダとの係合および係合の解除を許容する許容部と、
前記スライダが前記押し込み位置にある状態において前記許容部が前記係合の解除を許容するのを規制し、前記スライダが前記押し出し位置にある状態において前記規制を解除する規制部と、
前記ケースに挿入された前記カードホルダの前記押圧操作部を押圧操作すると、前記カードホルダが前記スライダに係合して前記スライダとともに挿入方向へ移動し、前記押し込み位置への前記スライダの位置決めに伴い前記ケースへの収納が完了する第１の位置に位置決めされ、
前記カードホルダが前記第１の位置にあるときに、前記押圧操作部を押圧操作すると、前記スライダが前記押し出し位置に位置決めされ、これに伴い前記カードホルダが押し出された第２の位置に位置決めされ、
前記第２の位置にある前記カードホルダを引っ張ると、前記スライダとの係合が解除された第３の位置に前記カードホルダが移動することを特徴とするカードホルダ装置。
【請求項２】
請求項１記載の発明において、前記位置決め手段は、前記スライダと前記ケースの間に設けられたカム機構と、前記スライダを前記カードホルダの引出し方向に付勢するばねとから構成されたことを特徴とするカードホルダ装置。
【請求項３】
請求項１記載の発明において、前記カードホルダには第１爪が設けられ、前記スライダには第２爪が設けられ、これら第１爪と第２爪とにより前記カードホルダと前記スライダとの前記係合が実現されることを特徴とするカードホルダ装置。
【請求項４】
請求項３記載の発明において、前記許容部は、前記第１爪または前記第２爪の少なくとも一方に付設され、付設された前記第１爪または前記第２爪を前記カードホルダの挿入方向に対する直交方向に移動可能とすることを特徴とするカードホルダ装置。
【請求項５】
請求項４記載の発明において、前記許容部は、前記第１爪または前記第２爪の少なくとも一方を端部に備えた棒状部であることを特徴とするカードホルダ装置。
【請求項６】
請求項４記載の発明において、前記第２爪に対する前記第１爪の接触部と前記第１爪に対する前記第２爪の接触部の少なくとも一方に、前記カードホルダが引き出されるときに
受ける力の方向に傾斜する傾斜面が設けられたことを特徴とするカードホルダ装置。
【発明の詳細な説明】
【技術分野】
【０００１】
本発明は、メモリカードを保持させたカードホルダをケースに挿入することで、そのメモリカードと所定機器とを電気的に接続させるカードホルダ装置に関する。
【背景技術】
【０００２】
車載用カードホルダ装置は、メモリカードが保持されるカードホルダと、このカードホルダを挿入したり引出したりする開口を有し、運転席の前方に計器類、スイッチ類を設けるためのインストルメントパネルに設けられるケースと、メモリカードを保持したカードホルダを、ケースに収納したときにメモリカードと所定機器とを電気的に接続する接続手段とが備えられている。
【０００３】
また、インストルメントパネルには、上述のケースの開口を配置する穴が形成され、この穴の縁部には、カードホルダを引出すときにカードホルダに指先を引っ掛けやすくするための凹部が設けられている。
【発明の開示】
【発明が解決しようとする課題】
【０００４】
上記のように、従来のカードホルダ装置は、カードホルダに指先を引っ掛けて引き出す構造なので、カードホルダ装置のケースが取り付けられるパネルに凹部が必要となる。そのため、凹部の周辺には他の機材、例えば車載のインスツルメントパネルではスイッチ類などを設けることができないなど、パネルのスペースを効率よく利用できないという問題があった。
【０００５】
本発明は、上述の現状を考慮してなされたもので、その目的は、指を引っ掛けるための凹部を設けることなく、カードホルダを引き出すことができる車載用カードホルダ装置を提供することにある。
【課題を解決するための手段】
【０００６】
前述の目的を達成するために、本発明は、メモリカードを保持し、押圧操作部を有するカードホルダと、このカードホルダが挿入される開口を有するケースと、前記メモリカードを保持した前記カードホルダが前記ケースに収納されたとき、前記メモリカードと所定機器とを電気的に接続する接続手段と、前記カードホルダの挿入方向および引出し方向へのスライドが可能に前記ケース内に設けられ、前記ケースに挿入された前記カードホルダに係合するスライダと、前記ケース内に設けられ、前記カードホルダの前記押圧操作部の押圧操作により前記スライダを押し込み位置と押し出し位置とに位置決め可能な位置決め手段と、前記カードホルダと前記スライダとの係合および係合の解除を許容する許容部と、前記スライダが前記押し込み位置にある状態において前記許容部が前記係合の解除を許容するのを規制し、前記スライダが前記押し出し位置にある状態において前記規制を解除する規制部と、前記ケースに挿入された前記カードホルダの前記押圧操作部を押圧操作すると、前記カードホルダが前記スライダに係合して前記スライダとともに挿入方向へ移動し、前記押し込み位置への前記スライダの位置決めに伴い前記ケースへの収納が完了する第１の位置に位置決めされ、前記カードホルダが前記第１の位置にあるときに、前記押圧操作部を押圧操作すると、前記スライダが前記押し出し位置に位置決めされ、これに伴い前記カードホルダが押し出された第２の位置に位置決めされ、前記第２の位置にある前記カードホルダを引っ張ると、前記スライダとの係合が解除された第３の位置に前記カードホルダが移動することを特徴とする。
【０００７】
このように構成された本発明では、メモリカードをカードホルダに保持させた後、このカードホルダをケースの開口に挿入して押圧操作部を押圧操作すると、カードホルダがスライダに係合してスライドとともに挿入方向へ移動し、押し込み位置へのスライダの位置決めに伴いケースへの収納が完了する第１の位置に位置決めされる。この状態では、許容部は、スライダとカードホルダとの係合の解除を許容することを、規制部により規制されているので、カードホルダをケースから引出すことができない。これにより、カードホルダに保持されたメモリカードは、所定機器に電気的に接続された状態で安定する。
【０００８】
カードホルダが第１の位置にある状態において、押圧操作部を押圧操作すると、スライダが押し出し位置に位置決めされ、これに伴いカードホルダが第２の位置に位置決めされる。この状態では、規制部による許容部に対する規制が解除されているとともに、カードホルダの押圧操作部が突出している。したがって、カードホルダの押圧操作部を把持して引っ張ると、カードホルダとスライダとの係合が解除され、カードホルダが第３の位置に移動する。
【０００９】
このように、押圧操作部の押圧によりカードホルダをケースに収納あるいはケースから突出させることができ、また、カードホルダがケースに収納された状態を保持することができ、また、カードホルダの押圧操作部を把持してカードホルダをケースから引き出すことができる。つまり、パネルにカードホルダに指を引っ掛ける凹部を設けることなく、カードホルダを引き出すことができる。
【００１０】
上述の発明において、前記位置決め手段は、前記スライダと前記ケースの間に設けられたカム機構と、前記スライダを前記カードホルダの引出し方向に付勢するばねとから構成されたものであってもよい。この構成により、スライダを押し込み位置と押し出し位置に確実に位置決めをすることができ、カードホルダの位置決めと、許容部に対する規制部による規制と解除を確実に実現できる。
【００１１】
上述の発明において、前記カードホルダには第１爪が設けられ、前記スライダには第２爪が設けられ、これら第１爪と第２爪とにより前記カードホルダと前記スライダとの前記係合が実現されるようにしてもよい。また、前記許容部は、前記第１爪または前記第２爪の少なくとも一方に付設され、付設された前記第１爪または前記第２爪を前記カードホルダの挿入方向に対する直交方向に移動可能なもの、例えば前記第１爪または前記第２爪の少なくとも一方を端部に備えた棒状部であってもよい。また、前記第２爪に対する前記第１爪の接触部と前記第１爪に対する前記第２爪の接触部の少なくとも一方に、前記カードホルダが引き出されるときに受ける力の方向に傾斜する傾斜面が設けられていてもよい。
【００１２】
このように構成された発明では、カードホルダをケースに収納すると、許容部が設けられた爪は、カードホルダの引出し方向に対する直交方向への移動を規制部によって規制された状態で、第２爪と係合した状態になるので、カードホルダとスライダとが係合した状態が保持される。これにより、カードホルダの引出し方向への移動の規制を確実におこなうことができる。
【００１３】
ケースに収納された状態のカードホルダを押圧操作すると、許容部が設けられた爪は、カードホルダを引出す方向に対する直交方向に移動可能な状態になる。この状態では、カードホルダに与えられる引出し方向の力が傾斜面を介して許容部の設けられた爪に作用するので、カードホルダを引っ張ると、その爪がカードホルダの引出し方向に対する直交方向に移動する。これに伴い、第１爪は第２爪に対して摺動しながら、カードホルダとともに引出し方向に移動する。これにより、カードホルダの引出し方向への移動の規制の解除を確実におこなうことができる。
【発明の効果】
【００１４】
以上のように、本発明では、カードホルダを押圧操作することによってカードホルダをケースに収納したりケースから突出させたりすることができ、カードホルダ部分を把持してカードホルダを引出すことができるので、パネルにカードホルダに指を引っ掛けるための凹部を設けることなく、カードホルダを引き出すことができる。
【００１５】
本発明によれば、凹部を設けなくて済むので、パネルのスペースを効率よく利用することができる。
【発明を実施するための最良の形態】
【００１６】
本発明のカードホルダ装置の一実施形態を図に基づいて説明する。
【００１７】
図１は、本実施形態を示す分解斜視図、図２は、本実施形態に備えられるカードホルダがケースから引出されるまでの動作を示す斜視図、図３は、本実施形態の第１爪と第２爪の動作、およびハート型カムの動作を示す断面図である。
【００１８】
本実施形態は、図示しないが、運転席の前方に計器類、スイッチ類を設けるためのインストルメントパネルに設置してあり、図１に示すように、手動で押圧操作される操作部１（押圧操作部）が一体に設けられ、小型メモリカード１１を保持するカードホルダ１０と、インストルメントパネルに設置され、カードホルダ１０が挿入される開口２１を有するケース２０と、小型メモリカード１１を保持したカードホルダ１０がケース２０に収納されたとき、小型メモリカード１１と所定機器とを電気的に接続にする接続手段３０を備えている。
【００１９】
操作部１は、図２に示すように、インストルメントパネルに設けられた他の操作ボタン２〜５と隣接させて設けてある。
【００２０】
カードホルダ１０は、図１に示すように、小型メモリカード１１が保持されるカード保持部１２と、このカード保持部１２の両側部のそれぞれに設けられ、ケース２０へのカードホルダ１０の挿入をガイドするスライドガイド部１３のそれぞれとを備えている。スライドガイド部１３上面および側面のそれぞれには、ケース２０内に設けられた図示しない突起部が摺動するガイド溝１４，１５を設けてある。
【００２１】
ケース２０は、上述のカードホルダ１０が挿入される開口２１と、ケース２０の両側部のそれぞれに設けられ、ケース２０を所定部位に固定する取付部２２のそれぞれを備えている。また、ケース２０後部には、接続手段３０が配置されるコネクタカバー２３と、ケース２０後部に取付けられ、接続手段３０等を支持する後部支持体５０を取付けるための切欠き２５，２７および穴２６を設けてある。
【００２２】
接続手段３０は、小型メモリカード１１に設けられた図示しない端子と接続されるカードコネクタ３４と、このカードコネクタ３４が取付けられるＰＣＢ基板３１と、このＰＣＢ基板３１を介してカードコネクタ３４と接続され、小型メモリカード１１と所定機器とを接続する外部接続用コネクタ３２とを備えている。
【００２３】
特に、本施形態では、カードホルダ１０がケース２０に収納されたとき、カードホルダ１０の引出し方向への移動を規制する規制手段と、カードホルダ１０がケース２０に収納された状態でのカードホルダ１０に対する押圧操作に連動して、カードホルダ１０の引出し方向への移動の規制を解除する解除手段と、この解除手段によって規制が解除されたとき、カードホルダ１０がインストルメントパネル表面よりも突出するように、カードホルダ１０を押し出す押し出し手段とを設けてある。
【００２４】
規制手段は、図１，３に示すように、ケース２０内にスライド可能に設けられ、カードホルダ１０の引出し方向に付勢されるスライダ４０と、カードホルダ１０のスライドガイド部１３の両方の下面のそれぞれに設けられる第１爪１６のそれぞれと、スライダ４０の両側部のそれぞれに設けられ、カードホルダ１０がケース２０に収納されると第１爪１６のそれぞれと係合する第２爪４１のそれぞれとを含む。
【００２５】
スライダ４０の両側部のそれぞれには、スライドガイド部４２をそれぞれ設けてあり、このスライドガイド部４２の上面および側面のそれぞれには、ケース２０内に設けられる図示しない突起部が摺動するガイド溝４３，４４を設けてある。
【００２６】
第２爪４１に対する第１爪１６の接触部と、第１爪１６に対する第２爪４１の接触部との少なくとも一方、例えば図３に示すように、第２爪４１に、カードホルダ１０が引出されるときに受ける力の方向に傾斜する傾斜面４１ａを設けてある。
【００２７】
また、解除手段は、第１爪１６および第２爪４１の少なくとも一方、例えば第２爪４１を、カードホルダ１０の引出し方向に対する直交方向に移動させることが可能な許容部と、この許容部による第２爪４１の移動を、カードホルダ１０が収納されたときに規制する規制部とを備えている。
【００２８】
すなわち、許容部は、スライダ４０のスライドガイド部４２の前端面に突出させて設けられ、前端に第２爪４１が形成された可撓性を有する棒状部４９である。ケース２０の内部底面には段差を設けてあり、第２爪４１が一段低い底面部分２０ｂ上に位置したときに棒状部４９が撓むことが許容されるようにしてある。
【００２９】
また、規制部は、上述の底面部分２０ｂよりも一段高い底面部分２０ａであり、この底面部分２０ａ上に第２爪４１が位置したときに、棒状部４９の撓みが規制されるようにしてある。
【００３０】
そして、スライダ４０には、図３（ａ２）〜（ｃ２）に示すように、一方の側部の下面にハート型カム４７を設け、このハート型カム４７に従動するピン２８を、ケース２０に取付けてある。
【００３１】
ピン２８は、図１に示すように、コ字状の部材から成り、一端をケース２０側部に回動可能に取付け、他端をハート型カム４７上に配置してある。また、このピン２８の中間部分には、ピン２８の他端をハート型カム４７に押付けるばね部材２９を配置し、このばね部材２９は、ケース２０に取付けてある。
【００３２】
ハート型カム４７は、中央に形成されるハート型の突出部４８と、この突出部４８の周囲に形成される複数の傾斜面および複数の段差の組み合わせとによって、ピン２８が一方向にのみ移動するように設定してある。
【００３３】
つまり、このハート型カム４７およびピン２８によって、カードホルダ１０がケース２０に収納された状態で押圧操作されたときに、第２爪４１が一段低い底面部分２０ｂ上に位置する押し出し位置にスライダ４０を位置決めし、また、カードホルダ１０がケース２０に収納されたときに、第２爪４１が、一段高い底面部分２０ａ上に位置する押し込み位置にスライダ２０を位置決めするように設定してある。
【００３４】
また、スライダ４０後部の両側部のそれぞれには、スライダ４０をカードホルダ１０の引出し方向に付勢するためのコイルばね５１を取付けるばね取付部４５をそれぞれ設けてある。
【００３５】
また、スライダ４０後部には、上述の接続手段３０等を支持するための後部支持体５０を取付けてある。この後部支持体５０は、上述の接続手段３０に設けられた切欠き３３が係止される図示しない係止部と、外部接続用コネクタ３２が支持される枠状の支持部５４とを備える。また、後部支持体５０の両側部のそれぞれには、上述のコイルばね５１を収納するばね室５２をそれぞれ設けてある。ばね室５２の上面には、スライダ４０のスライド方向に沿ってスリット５３を設け、スライダ４０後部上面には突起部４６を設けてスリット５３内に配置して、コイルばね５１のばね力によるスライダ４０の移動が制限されるようにしてある。コイルばね５１と、ハート型カム４７、ピン２８およびばね部材２９からなるカム機構とが、スライダ４０の位置決め手段を構成している。
【００３６】
後部支持体５０上面には、ケース２０に設けられた切欠き２５，２７および穴２６に適合する突部５５，５７および係止爪５８、およびケース２０縁部に当接する突部５６，５９を設けてある。
【００３７】
また、押し出し手段は、スライダ４０に設けられたスライドガイド部４２の前端面４２ａを、カードホルダ１０の後端面１７に当接するように設けて、上述のコイルばね５１のばね力がカードホルダ１０に与えられるようにしたものである。
【００３８】
このように構成した本実施形態は、ケース２０からカードホルダ１０が引出される際、次のように操作される。
【００３９】
図２（１）に示すように、カードホルダ１０は、ケース２０に収納されている。このとき、操作部１の前面は、隣接する操作ボタン２〜５の前面と同一面内にある。ケース２０内では、図３（ａ１），（ａ２）に示すように、ハート型カム４７中央の突出部４８とピン２８とが係合していることによって、スライダ４０が押し込み位置に位置決めされており、カードホルダ１０の引出し方向へ移動しないように規制されている。このときのカードホルダ１０の位置を第１の位置と称する。
【００４０】
カードホルダ１０が第１の位置にある状態において、操作部１をＤ方向に押圧すると、同図２（２）に示すように、操作部１の位置は隣接する操作ボタン２〜５よりも少し凹む。このとき、ケース２０内では、スライダ４０がカードホルダ１０に押圧され、スライダ４０がコイルばね５１に抗して移動する。これに伴って、図３（ｂ２）に示すように、ハート型カム４７中央の突出部４８とピン２８との係合が解除され、スライダ４０の付勢方向への移動が許容され、図３（ｂ１）に示すように、スライダ４０がカードホルダ１０とともにコイルばね５１のばね力によって押し出され、押し出し位置に位置決めされる。これにより、図２（３）に示すように、操作部１がＥ方向に押し出され、カードホルダ１０がインストルメントパネル表面よりも、すなわち隣接する操作ボタン２〜５よりも突出する。このときのカードホルダ１０の位置を第２の位置と称する。
【００４１】
また、このとき、ケース２０内では、第２爪４１が、図３（ｂ１）に示すように、ケース２０に設けられた一段低い底面部分２０ｂ上まで移動するので、第２爪４１は、棒状部４９の撓みに伴ってカードホルダ１０の引出し方向に対する直交方向に移動可能な状態となる。
【００４２】
カードホルダ１０が第２の位置にある状態において、カードホルダ１０が引っ張ぱられると、ケース２０内では、カードホルダ１０に与えられた引出し方向の力が、第２爪４１に設けられた傾斜面４１ａを介して第１爪１６から第２爪４１に作用する。すなわち、第２爪４１には、カードホルダ１０の引出し方向に対する直交方向の力が作用し、これに伴って、第２爪４１と一体の棒状部４９が撓み、その撓みに応じて第２爪４１が、カードホルダ１０の引出し方向に対する直交方向に移動する。これにより、第１爪１６が傾斜面４１ａ上を摺動して引出し方向に移動するので、図３（ｃ１）に示すように、第１爪１６と第２爪４１との係合が解ける。したがって、図２（４）に示すように、操作部１を把持してカードホルダ１０を引出すことができる。このときのカードホルダ１０の位置を第３の位置と称する。
【００４３】
カードホルダ１０が第３の位置にある状態において、操作部１をＤ方向に押圧操作すると、スライダ４０がカードホルダ１０に押圧されてコイルばね５１に抗して移動する。また、カードホルダ１０に与えられた押圧力により第１爪１６が第２爪４１に当接し棒状部４９が撓んで第１爪１６と第２爪４１が係合する。スライダ４０の移動およびカードホルダ１０への押圧解除に伴いピン２８がハート型カム４７の中央の突出部４８に係合し、スライダ４０は押し込み位置に位置決めされ、カードホルダ１０は第１の位置に位置決めされる。
【００４４】
このように本実施形態では、操作部１を押圧操作すると、インストルメントパネル表面よりも操作部１が突出するので、突出した操作部１を把持してカードホルダ１０を引出すことができる。したがって、インストルメントパネルに凹部を設けずに済む。
【００４５】
また、本実施形態では、操作部１の押圧操作が、周囲に設けられる操作ボタンやツマミなどの押圧操作や回転操作にも調和するので、操作性を向上させることができる。
【００４６】
また、本実施形態では、操作ボタン２〜５のように、付近にもスイッチ類などの機材を設けることができ、インストルメントパネルのスペースを効率よく利用することができる。
【図面の簡単な説明】
【００４７】
【図１】本発明のカードホルダ装置の一実施形態を示す分解斜視図である。
【図２】本実施形態に備えられるカードホルダが引出されるまでの動作を示す斜視図である。
【図３】本実施形態のカードホルダの位置と、第１爪と第２爪の動作、およびハート型カムの動作を示す断面図である。（ａ１）〜（ｃ１）は、それぞれカードホルダの第１の位置、第２の位置、第３の位置を示しており、全体として第１爪と第２爪との係合状態からその係合状態が解かれるまでの動作を示す図であり、（ａ２）は（ａ１）のＡ矢視図、（ｂ２）は（ｂ１）のＢ矢視図、（ｃ２）は（ｃ１）のＣ矢視図である。
【符号の説明】
【００４８】
１０  カードホルダ
１１  小型メモリカード
１２  カード保持部
１６  第１爪
２０  ケース
２１  開口
２８  ピン
２９  ばね部材
３０  接続手段
４０  スライダ
４１  第２爪
４７  ハート型カム
【図１】
2007280384.tif 000003
【図２】
2007280384.tif 000004
【図３】
2007280384.tif 000005